(57)【要約】【課題】本発明は、環境アクティブセンシングタイプの駐車場自動駐車システムを提供する。【解決手段】該システムは車両情報収集及び識別モジュール、マルチセンサ測位モジュール、建物情報モデルモジュール、分類処理モジュール、経路計画及びナビゲーションモジュール、駐車スペース状態判断モジュール、フィードバック自己校正モジュール、デュアルマスフライホイールステアリング装置及び機械式動力装置を備え、車両に二次元コード、機械式動力装置及びデュアルマスフライホイールステアリング装置が取り付けられており、駐車場におけるカメラを利用して車体上の二次元コードを識別して連続測位を行い、現在の駐車場における車両分布情報に基づいて最適な経路を計画し、車の機械式動力装置を遠隔制御することにより車両の走行速度及び走行方向を制御し、これにより駐車場における自動駐車を実現する。本発明が用いたセンサはコストが低く、再利用できるという特徴を有し、駐車場における自動駐車の問題に簡単で確実な解決方法を提供する。【選択図】図３
2021527586.tif 000002
【特許請求の範囲】
【請求項１】
環境アクティブセンシングタイプの駐車場自動駐車システムであって、
車両情報収集及び識別モジュール、マルチセンサ測位モジュール、建物情報モデルモジュール、分類処理モジュール、経路計画及びナビゲーションモジュール、駐車スペース状態判断モジュール、デュアルマスフライホイールステアリング装置及び機械式動力装置を備え、
前記車両情報収集及び識別モジュールは、駐車場に取り付けられる若干のカメラと、車両ルーフに取り付けられる二次元コードとを備え、車両情報収集及び識別モジュールによって車両の情報を取得し、各車両に唯一のＩＤを割り当て、
前記マルチセンサ測位モジュールは、車両情報収集及び識別モジュールによって収集された車両情報を受信して、車両位置を測位し、
前記建物情報モデルモジュールは、駐車場の建物情報に対して空間モデルを構築して、ＧＩＳ電子地図を生成し、且つ駐車場における駐車スペース及び車両位置を電子地図に表記することに用いられ、
前記駐車スペース状態判断モジュールは、駐車スペースに車があるかどうかを判断して、駐車スペース状態情報を取得することに用いられ、
前記経路計画及びナビゲーションモジュールは、場所内の車両分布及び駐車スペース状態情報に基づき、最適な経路を計画し、車両が駐車スペースに入るようにナビゲーションすることに用いられ、
前記デュアルマスフライホイールステアリング装置は、ハンドルの最大直径箇所に取り付けられており、デュアルマスフライホイール装置にはジャイロセンサが含まれており、デュアルマスフライホイールの慣性モーメント及び２つのフライホイールにおける速度差を利用して、ハンドルを所定方向及び角度に従って回転させることができ、２つのフライホイールの高度差、並びにハンドルが位置する平面と水平面との間の角度及びハンドルの直径によってハンドルの偏向角を算出し、
前記機械式動力装置は、アクセルペダルを持ち上げたり押し下げたりすることを制御するための第１モータと、ブレーキペダルを持ち上げたり押し下げたりすることを制御するための第２モータとを備え、
前記分類処理モジュールは、収集された車両情報を手動運転車両、半自動運転車両及び全自動運転車両の３種類の情報に分け、
前記手動運転車両は、車両ルーフに二次元コード、機械式動力装置及びデュアルマスフライホイールステアリング装置が取り付けられており、デュアルマスフライホイールの慣性モーメント及び２つのフライホイールの協調制御を利用してハンドルを回転させることにより、手動運転車両の自動駐車を実現し、
前記半自動運転車両は、自動運転のための動力装置及び制御装置を有し、車両ルーフに二次元コードが取り付けられることで、駐車場と車両との間の位置情報及び環境情報の通信を実現し、更に車両自体の半自動運転装置を利用することで、自動駐車機能を実現できるようにし、
前記全自動運転車両は、完全な動力装置、制御装置及び環境を識別できるセンサを有し、駐車場が該種類の車両と通信を構築して、経路計画、駐車スペース状態情報、車両分布等の情報を車両に送信することで、自動駐車機能を実現できるようにすることを特徴とする環境アクティブセンシングタイプの駐車場自動駐車システム。
【請求項２】
前記車両情報収集及び識別モジュールによって収集された車両情報は、車両の入場時間、ナンバープレート番号等の情報を含み、ナンバープレート番号に基づいて各車両に唯一のＩＤを割り当て、車両情報収集及び識別モジュールの若干のカメラが死角なしに駐車場内の各隅の車両情報を収集して識別することができることを特徴とする請求項１に記載の環境アクティブセンシングタイプの駐車場自動駐車システム。
【請求項３】
前記車両情報収集及び識別モジュールにおいて、更に、車両ルーフ上の二次元コードの代わりに偏光受信装置を車両の周囲に取り付けてもよいことを特徴とする請求項１に記載の環境アクティブセンシングタイプの駐車場自動駐車システム。
【請求項４】
該システムは、更に、測位を支援するためのＷＩＦｉ、ブルートゥース及びＺｉｇＢｅｅ等の通信装置を備えることを特徴とする請求項１に記載の環境アクティブセンシングタイプの駐車場自動駐車システム。
【請求項５】
前記マルチセンサ測位モジュールは両眼カメラであってもよく、車両位置の真の座標値の計算式は、以下の式で表され、
【数１】
2021527586.tif 000014
【数２】
2021527586.tif 000015
【数３】
2021527586.tif 000016
【数４】
2021527586.tif 000017
式中、ｆがカメラの焦点距離であり、左側カメラ及び右側カメラの座標がそれぞれ（ｘｌ，ｙｌ）、（ｘｒ，ｙｒ）であり、２つのカメラの高度値が同じであり、即ち、ｙｌ＝ｙｒ＝ｙｔであり、Ｂが２つのカメラの基線距離であり、ｄが左側カメラ及び右側カメラのｘ軸の座標差の絶対値であることを特徴とする請求項１に記載の環境アクティブセンシングタイプの駐車場自動駐車システム。
【請求項６】
前記マルチセンサ測位モジュールが多眼カメラであってもよく、車両上の二次元コードが複数のカメラによりキャプチャされ、マルチセンサフュージョン方法により誤差調整算出を行って車両の真の座標値を取得することができることを特徴とする請求項１に記載の環境アクティブセンシングタイプの駐車場自動駐車システム。
【請求項７】
前記経路計画及びナビゲーションモジュールは、各経路上の車両密度状況を算出し、更に幅優先探索アルゴリズムと組み合わせて駐車待ち車両の最適な経路を算出し、各車両の最適な経路情報に基づいて対応する制御アルゴリズムを生成し、更に制御命令を遠隔通信によって車両のデュアルマスフライホイールステアリング装置及び機械式動力装置に送信し、車両をナビゲーションすることを特徴とする請求項１に記載の環境アクティブセンシングタイプの駐車場自動駐車システム。
【請求項８】
該システムは、更に、車両が元の計画した経路から外れるとき、車両ルーフ上の二次元コードを識別することにより、この時点での車両の位置を測位して、この位置と正しい位置との誤差を算出し、更にＰＩＤフィードバック制御アルゴリズムによって車両位置、姿勢の修正を行うためのフィードバック自己校正モジュールを備えることを特徴とする請求項１に記載の環境アクティブセンシングタイプの駐車場自動駐車システム。
【請求項９】
前記機械式動力装置は、車両の移動及び停止を制御し、車速及び方向の信号をフィードバック自己校正モジュールにフィードバックすることに用いられることを特徴とする請求項１に記載の環境アクティブセンシングタイプの駐車場自動駐車システム。
【請求項１０】
前記デュアルマスフライホイールステアリング装置におけるジャイロセンサは、２つのフライホイールの高度差ｈを算出することができ、２つのフライホイールの高度差のハンドルの平面での投影がｈ’であり、ハンドルが位置する平面と水平面との間の角度がαであり、ハンドルの直径がＬであり、これによりハンドルの偏向角θを算出し、その計算式は、
【数５】
2021527586.tif 000018
【数６】
2021527586.tif 000019
であることを特徴とする請求項１に記載の環境アクティブセンシングタイプの駐車場自動駐車システム。
【発明の詳細な説明】
【技術分野】
【０００１】
本発明は車両自動運転技術分野に関し、特に環境アクティブセンシングタイプの駐車場自動駐車システムに関する。
【背景技術】
【０００２】
経済の継続的な発展に伴い、自動車の数が持続的に増加し、駐車場の建設も日々拡大しており、従来の駐車場の内部構造が複雑になり、多層構造の駐車場もあるため、ユーザーが車を見つけることができない場合が多くなっている。トラヒック分散が行われないため、駐車場のトラフィック量が多い場合、駐車場の内部道路が渋滞、ひいては麻痺になる場合が多い。これらの問題によりユーザーの駐車・出車に不便をもたらしてしまう。
【０００３】
自動運転技術は将来のインテリジェン交通技術のコアであり、駐車場は無人自動車技術を用いることにより、上記駐車・出車が困難であるという問題を解決することができるが、現在、市場における無人自動車及び関連センサはコストが高いため、一般的なユーザーに受け入れられにくい、このため、無人自動車の普及率が依然としてより低く、且つ地下駐車場の環境が悪いため、無人自動車のレーザーレーダー等のセンサの精度が大幅に低下してしまい、車両が駐車場環境を感知できず、ひいては擦り、衝突等の事故が発生する恐れがある。
【０００４】
従って、高価な費用を払わずにユーザーが迅速且つ正確に駐車・出車できる新型駐車場自動駐車システムを必要としている。
【発明の概要】
【発明が解決しようとする課題】
【０００５】
本発明の目的は、従来技術の欠点に対して、従来の車両がその自身のセンサで環境をセンシングするモードを、環境がアレイセンサで車両の位置を能動的にセンシングするモードに変換する環境アクティブセンシングタイプの駐車場自動駐車システムを提供することにある。環境中に大量の低価のセンサがマルチセンサフュージョン技術により車両の正確な測位を実現することでき、このような方法は無人自動車のセンサのコストがより高く、精度がより低いという問題を解決した。
【課題を解決するための手段】
【０００６】
本発明の目的は、以下の技術案により実現される。環境アクティブセンシングタイプの駐車場自動駐車システムであって、車両情報収集及び識別モジュール、マルチセンサ測位モジュール、建物情報モデルモジュール、分類処理モジュール、経路計画及びナビゲーションモジュール、駐車スペース状態判断モジュール、デュアルマスフライホイールステアリング装置及び機械式動力装置を備え、
前記車両情報収集及び識別モジュールは、駐車場に取り付けられる若干のカメラと、車両ルーフに取り付けられる二次元コードとを備え、車両情報収集及び識別モジュールによって車両の情報を取得して、各車両に唯一のＩＤを割り当て、
前記マルチセンサ測位モジュールは、車両情報収集及び識別モジュールによって収集された車両情報を受信して、車両位置を測位し、
前記建物情報モデルモジュールは、駐車場の建物情報に対して空間モデルを構築して、ＧＩＳ電子地図を生成し、且つ駐車場における駐車スペース及び車両位置を電子地図に表記することに用いられ、
前記駐車スペース状態判断モジュールは、駐車スペースに車があるかどうかを判断して、駐車スペース状態情報を取得することに用いられ、
前記経路計画及びナビゲーションモジュールは、場所内の車両分布及び駐車スペース状態情報に基づき、最適な経路を計画し、車両が駐車スペースに入るようにナビゲーションすることに用いられ、
前記デュアルマスフライホイールステアリング装置は、ハンドルの最大直径箇所に取り付けられており、デュアルマスフライホイール装置にはジャイロセンサが含まれており、デュアルマスフライホイールの慣性モーメント及び２つのフライホイールにおける速度差を利用してハンドルが所定方向及び角度に従って回転させることができ、２つのフライホイールの高度差、並びにハンドルが位置する平面と水平面との間の角度及びハンドルの直径によってハンドルの偏向角を算出し、 
前記機械式動力装置は、アクセルペダルを持ち上げたり押し下げたりすることを制御するための第１モータと、ブレーキペダルを持ち上げたり押し下げたりすることを制御するための第２モータとを備え、
前記分類処理モジュールは、収集された車両情報を手動運転車両、半自動運転車両及び全自動運転車両の３種類の情報に分け、
前記手動運転車両は、車両ルーフに二次元コード、機械式動力装置及びデュアルマスフライホイールステアリング装置が取り付けられており、デュアルマスフライホイールの慣性モーメント及び２つのフライホイールの協調制御を利用してハンドルを回転させることにより、手動運転車両の自動駐車を実現し、
前記半自動運転車両は、自動運転のための動力装置及び制御装置を有し、車両ルーフに二次元コードが取り付けられることで、駐車場と車両との間の位置情報及び環境情報の通信を実現し、更に車両自体の半自動運転装置を利用することで、自動駐車機能を実現できるようにし、、
前記全自動運転車両は、完全な動力装置、制御装置及び環境を識別できるセンサを有し、駐車場が該種類の車両と通信を構築して、経路計画、駐車スペース状態情報、車両分布等の情報を車両に送信して、自動駐車機能を実現できるようにすることを特徴とする環境アクティブセンシングタイプの駐車場自動駐車システム。
【０００７】
更に、前記車両情報収集及び識別モジュールによって収集された車両情報は、車両の入場時間、ナンバープレート番号等の情報を含み、ナンバープレート番号に基づいて各車両に唯一のＩＤを割り当て、車両情報収集及び識別モジュールの若干のカメラが死角なしに駐車場内の各隅の車両情報を収集して識別する。
【０００８】
更に、前記車両情報収集及び識別モジュールにおいて、更に、車両ルーフ上の二次元コードの代わりに偏光受信装置を車両の周囲に取り付けてもよい。
【０００９】
更に、環境アクティブセンシングタイプの駐車場自動駐車システムは、更に、測位を支援するためのＷＩＦｉ、ブルートゥース及びＺｉｇＢｅｅ等の通信装置を備える。
【００１０】
更に、前記マルチセンサ測位モジュールが両眼カメラであってもよく、車両位置の真の座標値の計算式は、以下の式のとおりである。
【数１】
2021527586.tif 000003
【数２】
2021527586.tif 000004
【数３】
2021527586.tif 000005
【数４】
2021527586.tif 000006
式中、ｆがカメラの焦点距離であり、左側カメラ及び右側カメラの座標がそれぞれ（ｘｌ，ｙｌ）、（ｘｒ，ｙｒ）であり、２つのカメラの高度値が同じであり、従って、ｙｌ＝ｙｒ＝ｙｔであり、Ｂが２つのカメラの基線距離であり、ｄが左側カメラ及び右側カメラのｘ軸の座標差の絶対値である。
【００１１】
更に、前記マルチセンサ測位モジュールが多眼カメラであってもよく、車両上の二次元コードが複数のカメラによりキャプチャされ、マルチセンサフュージョン方法により誤差調整算出を行って車両の真の座標値を取得することができる。
【００１２】
更に、前記経路計画及びナビゲーションモジュールは、各経路上の車両密度状況を算出し、更に幅優先探索アルゴリズムと組み合わせて駐車待ち車両の最適な経路を算出し、各車の最適な経路情報に基づいて対応する制御アルゴリズムを生成し、更に制御命令を遠隔通信によって車両のデュアルマスフライホイールステアリング装置及び機械式動力装置に送信し、車両をナビゲーションする。
【００１３】
更に、環境アクティブセンシングタイプの駐車場自動駐車システムは、更に、車両が元の計画した経路から外れるとき、車両ルーフ上の二次元コードを識別することにより、この時点での車両の位置を測位し、この位置と正しい位置との誤差を算出し、更にＰＩＤフィードバック制御アルゴリズムによって車両位置、姿勢の修正を行うためのフィードバック自己校正モジュールを備える。
【００１４】
更に、前記機械式動力装置は車両の移動及び停止を制御して、車速及び方向の信号をフィードバック自己校正モジュールにフィードバックすることに用いられる。
【００１５】
更に、前記デュアルマスフライホイールステアリング装置におけるジャイロセンサは、２つのフライホイールの高度差ｈを算出することができ、２つのフライホイールの高度差のハンドルの平面での投影がｈ’であり、ハンドルが位置する平面と水平面との間の角度がαであり、ハンドルの直径がＬであり、これによりハンドルの偏向角θを算出し、その計算式は、以下の式のとおりである。
【数５】
2021527586.tif 000007
【数６】
2021527586.tif 000008
【００１６】
更に、デュアルマスフライホイールステアリング装置及び機械式動力装置が車両を制御する方式は具体的に以下のとおりである。
【００１７】
左折命令を受信した場合、左右のフライホイールは逆時計回りに加速回転し始め、２つのフライホイールの回転によってハンドルが左へ回転する慣性モーメントを得るようにし、第１モータはコンロッドがアクセルペダルを押し下げるように制御し、第２モータはコンロッドがブレーキペダルを持ち上げるように制御することにより、車体が一定のコーナリング速度を維持するようにする。
【００１８】
右折命令を受信した場合、左右のフライホイールは時計回りに加速回転し始め、２つのフライホイールの回転によってハンドルが左へ回転する慣性モーメントを得るようにし、第１モータはコンロッドがブレーキペダルを押し下げるように制御し、第２モータはコンロッドがブレーキペダルを持ち上げるように制御することにより、車体が一定のコーナリング速度を維持するようにする。
【００１９】
直進命令を受信した場合、左右のフライホイールが一定速度で回転するように維持することにより、車の先端部分が元の姿勢を維持するようにし、第１モータはコンロッドがアクセルペダルを押し下げるように制御し、第２モータはコンロッドがブレーキペダルを持ち上げるように制御することにより、車両が一定の前進速度を得るようにする。
【００２０】
ブレーキ命令を受信した場合、左右のフライホイールが一定速度で回転するように維持することにより、車の先端部分が元の姿勢を維持するようにし、第１モータはコンロッドがブレーキペダルを押し下げるように制御し、第２モータはコンロッドがアクセルペダルを持ち上げるように制御することにより、車体が停止状態まで減速するようにする。
【発明の効果】
【００２１】
本発明の有益な効果は以下のとおりである。
【００２２】
１、本発明は従来の車両が環境を識別する方法の代わりに、環境が車両情報を能動的にセンシングする方法を用いる。このような環境センシング方法を用いることにより、無人自動車のコストを大幅に削減することができ、各車にいずれもセンサを取り付ける必要がなく、環境にセンサを取り付ければ、複数の車両の測位を実現でき、再利用を実現できる。
【００２３】
２、本発明はアレイセンサフュージョン技術で地下での車両の測位を実現し、従来の単一車両のセンサに比べて、測位精度を向上させる。
【００２４】
３、本発明の機械式動力装置は従来の改装された無人自動車動力装置に比べて、取り付けやすく、取り外しやすいという特徴を有する。
【図面の簡単な説明】
【００２５】
【図１】本発明の論理関係を示す図である。
【図２】デュアルマスフライホイールステアリング装置及び機械式動力装置の制御論理を示す図である。
【図３】本発明の駐車場の動作フローチャートである。
【図４】本発明の駐車場のカメラ配置及び測位を示す模式図である。
【図５】本発明の駐車場の内部構造及び駐車スペースを示す模式図である。
【図６】図６の（ａ）は本発明のハンドル箇所のデュアルマスフライホイールステアリング装置の取付模式図であり、図６の（ｂ）は本発明の機械式動力装置の取付模式図である。
【図７】本発明のサイドパーキングの模式図である。
【図８】本発明の後退して駐車スペースに入る模式図である。
【発明を実施するための形態】
【００２６】
本発明の目的、技術案及び利点をより明確にするために、以下に実施例によって本発明を更に詳しく説明し、本発明の模式的な実施形態及びその説明は本発明を解釈するためのものであって、本発明を制限するためのものではない。
【００２７】
実施例１
図１〜図６に示すように、手動運転車両Ｃ１が駐車スペースＰ１に駐車する場合、次のステップを順番に実行する。
１）入口では、車両に二次元コード又は偏光受信機、通信装置、機械式動力装置及びデュアルマスフライホイールステアリング装置を取り付けて、位置、ナンバープレート番号及び時間等の情報を含む駐車待ち車両の身元情報を取得し、車両にＩＤを割り当てる。
２）駐車スペースが空いているか否かの情報を含む駐車場における駐車スペースの状態情報を取得する。
３）現在の駐車スペース情報、車両分布情報に基づき、Ｃ１が最適な駐車スペースであることを算出し、このときの最適な経路が左折して駐車スペースに入ることである。
４）上記最適な経路に基づいて対応する制御計画を算出し、つまり、先ずにデュアルマスフライホイールステアリング装置を制御して、右ホイールの回転速度が左ホイールよりも速くなるように差動回転を行い、ハンドルを左へ回転させ、ＰＩＤアルゴリズムによって回転角度を制御し、その後、アクセルの機械式動力装置Ａを起動して、車両が動力を持つようにし、ＰＩＤアルゴリズムによってアクセルを踏む力を制御し、車両を設定速度で前進する。
５）走行過程において、駐車場には２つ又は２つ以上のカメラが車体上の二次元コードをキャプチャしたが、視差補正及び測位公式によって車両の連続測位を実現できる。
６）車体の一部が駐車スペースに入って、車体が停止線に平行する場合、アクセルの機械式動力装置Ａを停止し、ブレーキの機械式動力装置Ｂを起動して車両の速度を徐々に減速させ、更にデュアルマスフライホイールステアリング装置を制御して、左ホイールの回転速度が右ホイールよりも速くなるように差動回転を行い、ハンドルを徐々に元の位置に戻し、この２つの過程が同様にＰＩＤフィードバック制御によって制御精度及び安定性を確保する。
７）車体が安全に駐車スペースに入る場合、この時にブレーキの機械式動力装置の制御信号が迅速に強化され、車両を直ちに現在位置に停止させ、駐車が完了し、駐車スペース状態情報がアイドルからビジーになる。
【００２８】
実施例２
半自動運転車両Ｃ２を出車して、ＥＸＩＴ出口箇所に運転する場合、次のステップを順番に実行する。
１）車両Ｃ２のＩＤに基づき、通信装置によってウェイクアップ機能を実現し、更に多眼カメラによって車両の位置を測位し、具体的な測位方法は実施例１と類似し、視差及び測位公式によって車両の位置を算出でき、Ｃ２が半自動運転自動車であるため、車両自体の動力、制御装置を利用してもよい。
２）駐車場における車両分布状況及び駐車スペース状態情報に基づき、場所内の各線路上の密度を算出してＧＩＳ地図に表示させる。
３）上記情報に基づき、経路計画及びナビゲーションモジュールによって駐車待ち車両に最適な出場経路を計画し、このときの最適な経路が図２の矢印に示される。
４）駐車場におけるサーバが車両へ左後折信号を送信し、車両が指定された位置１に到達する場合、サーバが再び前向き直進命令を送信し、車両が指定された位置２に到達する場合、サーバが前向き左折命令を送信し、車両が指定された位置３に到達する場合、サーバが直進命令を送信し、出口箇所までサーバが駐車信号を送信する。
５）上記行進過程において、駐車場におけるカメラが現在の車両を連続的に測位し、車両が計画経路から外れるかどうかを判断する。
６）車両がスムーズに出口に到達する場合、元の駐車スペース信号がビジー状態からアイドル状態になり、地図情報を更新し、このときの出場時間を記録して入場時間及び出場時間に基づいて課金する。
【００２９】
実施例３
図７に示すように、車両がサイドパーキング（横パーキング）を完了する必要がある場合、車両は、図中の次のステップを順次に実行する。
Ｓｔｅｐ１：前へ所定距離ｒを進み、車両テールと駐車スペースラインとの横距離をｌ、車両と駐車スペースとの縦距離をＷ、車両自体の幅をＷＣ、駐車場における駐車スペースの幅をＷＰとする。
Ｓｔｅｐ２：車輪の偏向角度が最大転向角β１であるように維持し、後へ距離Ｓ１を移動し、このとき、車体が円心を中心として回転する角度がθ０である。
Ｓｔｅｐ３：ステアリングホイールが反方向に偏向し、角度がβ２であり、且つ｜β２｜＝｜β１｜であり、β２角度を維持し、後輪が後へ運動する距離がＳ２であり、車体が円心を中心として回転する角度がθ１であり、θ１の絶対値がθ０に等しく、このとき、車体の運動半径が車の最小コーナリング半径Ｒｍｉｎである。
Ｓｔｅｐ４：車体が完全に駐車スペース内に駐車しており、車体が駐車スペースに平行する場合、車両を前へ適切な距離移動して駐車スペースの中間位置に停止する。
【００３０】
以下の式によって車両テールと駐車スペースラインとの横距離ｌ及び車体が円心を中心として回転する角度θ０を算出する。
【数７】
2021527586.tif 000009
【数８】
2021527586.tif 000010
【数９】
2021527586.tif 000011
式中、Ｒｍａｘが車両の最大コーナリング半径である。
【００３１】
実施例４
図８に示すように、車両が後退して駐車スペース（縦パーキング）に入る操作を完了する必要がある場合、車両は、図中の次のステップを順次に実行する。
Ｓｔｅｐ１：車両が駐車スペースに平行するように維持し、前へ所定距離Ｓを運転し、車の先端部分と駐車スペースラインとの距離がＷｒであって、車両後退の安全距離であり、車両と駐車スペースとの縦距離がＷであり、車両自体の幅がＷＣである。
Ｓｔｅｐ２：車輪の偏向角度が最大転向角β１であるように維持し、後へ距離Ｓ１を移動し、このとき、車体が円心を中心として回転する角度がθ’であり、車体が駐車スペースに平行する場合、ハンドルを元の位置に戻す。
Ｓｔｅｐ３：車両が後へ所定距離を運動し、車体全体が駐車スペースの中間位置に入る。
【００３２】
車の先端部分と駐車スペースラインとの距離Ｗｒ及び車体が円心を中心として回転する角度θ’の計算式は、以下の式のとおりである。
【数１０】
2021527586.tif 000012
【数１１】
2021527586.tif 000013
【００３３】
本発明において、環境が車両を能動的にセンシングする技術的思想によって、駐車場にカメラ又は偏光源、赤外線センサ等の装置を一度取り付けれると、車両の地下での高精度測位を実現でき、各車にいずれも高価のレーザーレーダーセンサを取り付ける必要がない。探索最適化アルゴリズムによって、車両が即座に最適な駐車スペースに駐車できるように確保することができ、駐車時間を節約し、駐車場の運営効率を向上させる。
【００３４】
以上に記載した具体的な実施形態は本発明の目的、技術案及び有益な効果を更に詳しく説明したが、理解されるべきのように、以上の説明は本発明の具体的な実施形態であって、本発明の保護範囲を制限するためのものではなく、本発明の趣旨や原則内に行われたいかなる修正、等価置換、改良等は、いずれも本発明の保護範囲内に含まれるべきである。
【図１】
2021527586.tif 000020
【図２】
2021527586.tif 000021
【図３】
2021527586.tif 000022
【図４】
2021527586.tif 000023
【図５】
2021527586.tif 000024
【図６】
2021527586.tif 000025
【図７】
2021527586.tif 000026
【図８】
2021527586.tif 000027
【手続補正書】
【提出日】令和2年12月9日(2020.12.9)
【手続補正１】
【補正対象書類名】明細書
【補正対象項目名】００１８
【補正方法】変更
【補正の内容】
【００１８】
右折命令を受信した場合、左右のフライホイールは時計回りに加速回転し始め、２つのフライホイールの回転によってハンドルが右へ回転する慣性モーメントを得るようにし、第１モータはコンロッドがアクセルペダルを押し下げるように制御し、第２モータはコンロッドがブレーキペダルを持ち上げるように制御することにより、車体が一定のコーナリング速度を維持するようにする。
【手続補正２】
【補正対象書類名】明細書
【補正対象項目名】００２０
【補正方法】変更
【補正の内容】
【００２０】
ブレーキ命令を受信した場合、左右のフライホイールが一定速度で回転するように維持することにより、車の先端部分が元の姿勢を維持するようにし、第２モータはコンロッドがブレーキペダルを押し下げるように制御し、第１モータはコンロッドがアクセルペダルを持ち上げるように制御することにより、車体が停止状態まで減速するようにする。
【国際調査報告】
2021527586.tif 000028
2021527586.tif 000029
2021527586.tif 000030
2021527586.tif 000031
2021527586.tif 000032